(57)【要約】【課題】  RGB光源の時分割処理によるカラー原稿読取装置において、ACSを実施すると偽色が発生してしまい、判定精度が著しく悪くなってしまう。【解決手段】  ACSを実施する選択がなされた場合に、副走査の解像度を上げて、偽色の発生を低減し、ACSの判定精度を向上させる。【選択図】  図３
2013085172.tif 000002
【特許請求の範囲】
【請求項１】
RGB光源(206)を時分割に点灯してライン順次にカラー画像を読み取る原稿読取手段(401,402)と、
原稿の読取方法を選択する為の操作手段(411)、
読み取った画像がカラーであるかモノクロであるかを判定する為の自動カラー判定装置(117)を備えたマルチファンクションプリンタ(図４)において、
前記原稿読取手段(401,402)は、前記操作手段(411)においてACS(S302)を選択された場合に、高解像度モード(S304)で原稿読取動作をすることを特徴とするマルチファンクションプリンタ(図４)。
【請求項２】
操作手段(411)においてACSを選択されなかった場合(S302)には、
低解像度モード(S305)で原稿読取動作をすることを特徴とする請求項１に記載のマルチファンクションプリンタ (図４)。
【請求項３】
高解像度とは、副走査解像度が600dpi以上の解像度であることを特徴とする請求項１に記載のマルチファンクションプリンタ(図４)。
【請求項４】
低解像度とは、副走査解像度が300dpi以下の解像度であることを特徴とする請求項２に記載のマルチファンクションプリンタ(図４)。
【請求項５】
RGB光源(206)を時分割に点灯してライン順次にカラー画像を読み取る原稿読取手段(401,402)と、
原稿の読取方法を選択する為の操作手段(411)、
読み取った画像がカラーであるかモノクロであるかを判定する為の自動カラー判定装置(117)と、
画像をネットワーク(406,407)へ送信する為の送信手段(110,119)を備えたマルチファンクションプリンタ(図４)
において、
前記読取手段(103)は、前記操作手段(101)で選択された送信方法に応じて、
高解像度モードで原稿読取動作をすることを特徴とするマルチファンクションプリンタ(図４)。
【請求項６】
操作手段(411)においてACSを選択されない設定だった場合(S502)には、
低解像度モード(S505)で原稿読取動作をすることを特徴とする請求項５に記載のマルチファンクションプリンタ(図４)。
【請求項７】
高解像度とは、副走査解像度が600dpi以上の解像度であることを特徴とする請求項５に記載のマルチファンクションプリンタ(図４)。
【請求項８】
低解像度とは、副走査解像度が300dpi以下の解像度であることを特徴とする請求項６に記載のマルチファンクションプリンタ(図４)。 
【発明の詳細な説明】
【技術分野】
【０００１】
本発明はライン順次点灯によるカラー原稿読取装置の自動色判定を実施する技術に関する。
【背景技術】
【０００２】
従来から、プリンタ複合機は、ACS機能（オートカラーセレクト）を搭載してきた。この機能は、原稿の一部に色味が検出された時には、プリンタ複合機をカラーモードで動作させる事が出来る機能である。つまり、利用者が操作パネルから操作をする事なしに、原稿に応じて、カラー印刷と白黒印刷を選択する事が出来る機能である。このACS機能により、利用者はトナーの節約やサービス料金の抑制を実現できる。(例えば、特許文献２)。
【０００３】
一方、従来は上記ACS機能を搭載するようなプリンタ複合機は、カラー透過フィルタ付き３色ラインセンサを用いた原稿読取装置が一般的であった。しかし、省スペースや低コストの要求により、モノクロのラインセンサにRGB３色の光源(例えばLED)と導光管を配置した密着型イメージセンサが利用されるようになった。(例えば、特許文献１)。
【０００４】
この密着型イメージセンサは、モーター駆動によって副走査方向に移動しながら、RGB３色の光源を時分割のライン順次で点灯するものが一般的である。このRGB３色の光源の反射光をモノクロラインセンサが、ライン順次で受光する。これによって、原稿をRGBのカラー読取を実現することができる。
【０００５】
この時、モーターの駆動速度に応じて、原稿読取速度と副走査解像度が決定される。例えば、２５枚／分で600dpiの解像度のRGBカラー画像が読み取る事ができる原稿読取装置がある。これを、モーターの駆動速度を２倍にすると、50枚／分で300dpiの解像度のRGBカラー画像を読み取る事が出来る。
【先行技術文献】
【特許文献】
【０００６】
【特許文献１】特開平2003-315931号公報
【特許文献２】特開2010-21628号公報
【発明の概要】
【発明が解決しようとする課題】
【０００７】
しかし、密着型イメージセンサを300dpi以下の解像度で動作させた時には、色ずれ、モアレが原因となる偽色が発生する為、ACS機能が正確に働かなくなるという課題があった。
【０００８】
密着型イメージセンサの色ずれの原因は、読取用のモーターを動かしながら、RGB３色を時分割で読み取る為、同じ位置を見込めない事である。そして、RGB３色の距離が離れる（副走査解像度が低下する）ほど、色ずれが大きくなる。
【０００９】
密着型イメージセンサのモアレの原因は、解像度に対する解像力が大きくなり過ぎる為、平滑化されない事である。更に、RGB３色を時分割で読み込む為、原稿に主走査方向の波模様があった場合に、RGBの各初期位相が変わってしまい、モアレに色が付いてしまう。
【００１０】
ACS機能は、読み取った原稿画像をRGB画像に変換する。更にRGB画像から色味を抽出し、色味の２値化を行って閾値以上の色味を持つ画素をカラー画素として特定する。この時、偽色が発生していると、本来はモノクロ画素であった筈の画素をカラー画素として判定しまい、結果としてカラー原稿として誤判定してしまう。
【００１１】
この課題は、３色ラインセンサでは発生しない課題である。何故なら、3色ラインセンサはRGB同時読取方式であり、同時間で全てのRGBライン画像を読み込める。よって、RGBで同じ位置を読む事が可能である。一方、時分割である密着型イメージセンサでは、300dpiにすると、RGBのそれぞれの間隔が大きくなる。よって、読み込めないライン画像が発生する。
【００１２】
以上の理由から、密着型イメージセンサによるカラー原稿読取装置では、副走査解像度を300dpiにすると、偽色が発生し、ACSが誤判定する。
【課題を解決するための手段】
【００１３】
RGB光源(206)を時分割に点灯してライン順次にカラー画像を読み取る原稿読取手段(401,402)と、
原稿の読取方法を選択する為の操作手段(411)、
読み取った画像がカラーであるかモノクロであるかを判定する為の自動カラー判定装置(117)を備えた原稿読取装置において、
前記原稿読取手段(401,402)は、前記操作手段(411)においてACS機能(S302)を選択された場合に、高解像度モード(S304)で原稿読取動作をする事を特徴とする原稿読取装置。
【発明の効果】
【００１４】
RGB光源の時分割点灯によるライン順次カラー読取装置において、ACS機能の精度を向上させる事ができる。
【図面の簡単な説明】
【００１５】
【図１】実施例１、実施例２を説明する為のプリンタ複合機のコントローラ構成である。
【図２】実施例１、実施例２を説明する為のプリンタ複合機の原稿読取装置の構成である。
【図３】実施例１を説明する為のフローチャートである。
【図４】実施例１、実施例２を説明する為のプリンタ複合機の図である。
【図５】実施例２を説明する為のフローチャートである。
【図６】色ずれの原因を説明する模式図である。
【発明を実施するための形態】
【００１６】
以下、本発明を実施するための最良の形態について図面を用いて説明する。
【００１７】
（実施例１）
図４は、本発明を利用したプリンタ複合機の全体構成を示す図である。
【００１８】
図１は、コントローラボード(405)の構成を示すブロック図である。
【００１９】
図２は、原稿読取コントローラユニット(410)と読取センサーユニット(409)の構成を示すブロック図である。
【００２０】
図４のプリンタ複合機は、ADFユニット(401)、原稿読取装置(402)、記録部を含む本体(408)、及びコントローラボード(405)で構成されている。
【００２１】
原稿読取用コントローラユニット(410)は、モーター(403、404)、読取センサーユニット(409)と接続し、コントローラボード(405)の中の読取装置インタフェイス(103)との通信を行う。また、原稿読取用コントローラユニット(410)は、ADコンバータ(208)、LED点灯制御回路(209)、圧板用モーター制御(210)、ADF用モーター制御(210)を持つ。
【００２２】
更に、読取センサーユニット(409)は、RGBの３色LED(206)、及び受光センサ(207)を持つ。
【００２３】
プリンタ複合機は、操作部(411)を持っており、操作部インタフェイス(101)を通して、外部からの操作を可能とする。
【００２４】
コントローラボード(405)は、LANインタフェイス(113)を通してインターネット回線(408)と接続されている。また、コントローラボード(405)は、NCU(119)を通して、電話回線(407)に接続されている。
【００２５】
図３は、実施例１を説明する為のフローチャートである。図３のフローチャートの各ステップは、CPU(105)が、ROM（106）に格納されたプログラムに応じて処理を実施する。また、各ステップで取り扱われる電子画像データは、BUS(116)を通してRAM(107)に格納しながら読み込み、書き込み処理が実施される。
【００２６】
S301において、操作部(411)は、外部から入力されたコピー処理のモード設定を選択する。コピー処理のモード設定は、操作部インタフェイス（101）から、CPU(105)に通達する。
【００２７】
S302において、CPU(105)は、コピー処理のモード設定に応じた読取解像度を判定する。
【００２８】
本発明のポイントは、実施例１において、原稿の色によって、下表の選択をすることである。
【００２９】
【表１】
2013085172.tif 000003
また、カラー選択をしない場合には、設定された原稿タイプに応じて切り替える事も考えられる。例えば、原稿が新聞であれば、モノクロとして低解像度が選択される。
【００３０】
表１において、高解像度は、主走査は600dpi、副走査は600dpiである。また、低解像度は、主走査が600dpi、副走査は300dpiである。
【００３１】
低解像度では画素数が少なくなる為、読取速度が速くなるというメリットがある。一方で、RGB間の色ずれや、有色のモアレがある。よって、原稿画像内のモノクロエッジの周りに偽色が発生する事が分かっている。
【００３２】
低解像度で色ずれが発生する原因については、図６で説明する。図６は300dpiの副走査解像度で原稿エッジを読み取った時の模式図である。図６のRGBの各山は光源(206)が時分割に点灯する事によって、受光センサ(207)が読み取れる原稿(201)の反射光の位置である。この時、低解像度読取では、R、G、B、のそれぞれの山が離れている。そして、原稿エッジ部が来た時にBは読み取る事ができるが、G、Rは、Bと同じ位置で読み取る事が出来ない。これが原因で色ズレが発生する。
【００３３】
低解像度で有色のモアレが発生する原因は、本発明で用いる原稿読取装置では、副走査を低解像度で読み取ると、解像度に対する相対的な解像力が高くなり、モアレが強くでる事である。さらに、時分割である為、RGBの初期位相が違う事でモアレの位相が違い、偽色が発生する。
【００３４】
高解像度では画素数が多くなる為、読取速度が遅くなる。一方で、RGB間の色ずれが小さくなり、更に有色のモアレも発生し難くなる。よって、原稿画像内のモノクロエッジの周りの偽色が抑えられる。
【００３５】
本実施例の構成では、低解像度で読み取る場合は、高解像度で読み取る場合の2倍の速度で原稿読取を実施できる。一方、高解像度では、偽色が殆ど発生しない事が分かっている。
【００３６】
S303において、高解像度が選択されていた場合には、S304にステップが進む。S304では、読取装置インタフェイス(103)を通して、原稿画像(201)の読取を実施する。
【００３７】
読取装置コントローラ(211)は、原稿画像の読取開始をCPU(105)から指示されると、モーター制御１(210)とLED点灯制御回路(209)に動作を指示する。
【００３８】
モーター制御１(210)は、高解像度設定がされているので、モーター(404)を副走査600dpiの解像度で読み込む為の速度で動かす。
【００３９】
尚、ADF(401)からの原稿読取が選択されていた場合には、モーター制御１(210)とモーター(404)の代わりに、モーター制御２(211)とモーター(403)を利用する。そして、ADF(401)に搭載された原稿(412)を流し読みが実施される。更に、流し読みの為に、モーター制御１(210)、モーター(404)を利用して、読取センサーユニットを流し読みに適切な位置に移動させる。適切な位置とは、例えば、白ローラ(413)の下である。
【００４０】
LED点灯制御(209)では、RGBのLED光源(206)がライン順次に時分割点灯する。そして、原稿(201)からの反射光を受光センサ(207)がライン順次で受光する。次に、受光センサ(207)にライン順次に、受光したRGB画像信号が、ADコンバータ(208)に転送されて、RGB画像信号に変換される。RGB画像信号は、読取装置コントローラ(211)を経由してRAM(106)に転送される。
【００４１】
S306では、CPU(105)は、RAM(106)に格納されたRGB画像信号に対して、画像処理装置(104)とACS判定装置(117)を用いてACS判定を実施する。ACS判定の方法には、特許文献２に記載されている為、割愛する。但し、本実施例では、ACS判定が実施される時は、副走査の解像度は必ず600dpi以上である。
【００４２】
S303において、低解像度が選択されていた場合には、S305にステップが進む。S305では、読取装置インタフェイス(103)を通して、原稿画像(201)の読取を実施する。
【００４３】
読取装置コントローラ(211)は、原稿画像の読取開始をCPU(105)から指示されると、モーター制御１(210)とLED点灯制御回路(209)に動作を指示する。
【００４４】
モーター制御１(210)は、低解像度設定がされているので、モーター(404)を副走査300dpiの解像度で読み込む為の速度で動かす。
【００４５】
S307において、原稿画像は副走査を低解像度(300dpi)で読み込まれている為、画像処理装置(104)は、高解像度(600dpi)に拡大処理を実施する。
【００４６】
この時の拡大処理は、一般にはバイキュービックを用いるが、本発明では拡大方法を限定はしない。
【００４７】
S308において、ACS(117)でカラーと判定、若しくはS301でカラーが選択されていた場合には、S309において、画像処理装置(104)は、RGB画像をCMYK画像に色変換を実施する。
【００４８】
S308において、ACS(117)でモノクロと判定、若しくはS301でモノクロが選択されていた場合には、S310において、画像処理装置(104)は、RGB画像をK単色画像に色変換を実施する。
【００４９】
S311で、プリンタコントローラ(108)にCMYK画像、若しくはK単色画像を転送し、カラー印刷、モノクロ印刷を行う。
【００５０】
以上、実施例１の構成によれば、コピー時のACSの誤判定を防ぐ事が出来る。
【００５１】
(実施例２)
実施例１において、出力解像度が600dpiであるコピーのカラー設定に限定して記載した。
【００５２】
第2実施例では、相手によって解像度やカラー設定が変わる画像データ送信機能である場合について記載する。
【００５３】
尚、実施例２では、実施例１との差分についてのみ記載をする。
【００５４】
図５は、実施例２を説明する為のフローチャートである。図５のフローチャートの各ステップは、CPU(105)が、ROM（106）に格納されたプログラムに応じて処理を実施する。また、各ステップで取り扱われる電子データは、BUS(116)を通してRAM(107)に格納しながら読み込み、書き込み処理が実施される。
【００５５】
S501において、操作部(411)は、外部から入力された送信処理のモード設定を選択する。送信処理のモード設定は、操作部インタフェイス（101）から、CPU105に通達する。尚、送信処理は、NCU(119)を用いたFAX送信、及びLANインタフェイス(113)を用いて、電子画像データを送信する。
【００５６】
S502において、CPU105は、送信処理のプロトコルに応じてモノクロ、ACSを判定する。例えば、FAX回線を用いた場合、相手先がカラー非対応、若しくは本実施例のプリンタ複合機がカラー非対応であった場合、モノクロ固定である。一方、両方がカラー対応であった場合、ACS処理を実施する。
【００５７】
また、ネットワークを利用して、プリンタ印刷を利用する場合もある。この時、印刷するプリンタがモノクロ印刷機である事が分かっている場合には、モノクロ固定である。
【００５８】
そして、ACS機能を実施する場合には、実施例１と同様に高解像度で原稿を読み込む必要がある。
【００５９】
S504〜S506は、S304〜S306と同じ処理である為、説明を割愛する。
【００６０】
S507の解像度変換については、ACS機能のあり無しに関わらず、送信の要求解像度に応じた解像度変換をする。例えば、FAXでは200dpiなどの解像度が決まっている。また、ネットワーク上のパソコン(410)に送る時には、様々な解像度を選択する事が出来る。
【００６１】
S508は、S308と同じ処理である為、説明を割愛する。
【００６２】
S509では、カラー送信である為、画像処理装置(104)及び圧縮伸長装置(102)を利用して、RGB画像をJPEG画像に変換している。
【００６３】
一方、S510では、画像処理装置(104)を利用してモノクロ画像に変換する。また、送信先、送信方法によっては、圧縮伸長装置(102)を利用して圧縮する場合もある。
【００６４】
S511では、NCU(119)やLANインタフェイス(113)を利用して、画像を外部に送信する。
【００６５】
以上、実施例２の構成によれば、送信方法に応じてACS機能が必要かどうかを判断して、ACS機能が必要な場合にはACS機能の誤判定を防ぐ事ができる。
【符号の説明】
【００６６】
117  ACS装置
411  操作部
409  ライン順次の読取センサーユニット
206  RGBのLED光源
【図１】
2013085172.tif 000004
【図２】
2013085172.tif 000005
【図３】
2013085172.tif 000006
【図４】
2013085172.tif 000007
【図５】
2013085172.tif 000008
【図６】
2013085172.tif 000009